(57)【要約】      （修正有）【課題】引出体の上方に位置する踏み台の開閉動作を要することなく、収納物の出し入れが簡便に出来る踏み台付き引出体が設けられたキャビネットを提供すること。【解決手段】踏み台１２に設けられた係止部１２ａと、引出体１３における係止部１２ａよりも外方側に設けられた被係止部１３ｃと、を備え、踏み台１２を外方に向けて引出すことにより、引出体１３の被係止部１３ｃが踏み台１２の係止部１２ａに係止され、引出体１３と踏み台１２とが一体に外方に移動し、引出体１３を外方に向けて引出すことにより、引出体１３の被係止部１３ｃが踏み台１２の係止部１２ａから離間し、引出体１３が単独で外方に移動する。【選択図】図４
2008237661.tif 000002
【特許請求の範囲】
【請求項１】
上面が開口する箱状に形成された引出体と、該引出体の上面開口を開閉自在とする踏み台と、からなる踏み台付き引出体が、本体の内部に収納された収納位置と該収納位置から前記本体の外方に向けて引き出された引出位置との間で内外方向に移動自在に設けられたキャビネットであって、
前記踏み台に設けられた係止部と、
前記引出体における前記係止部よりも外方側に設けられた被係止部と、
を備え、
前記踏み台を外方に向けて引出すことにより、前記引出体の被係止部に前記踏み台の係止部が係止され、前記引出体と前記踏み台とが一体に外方に移動し、
前記引出体を外方に向けて引出すことにより、前記引出体の被係止部が前記踏み台の係止部から離間し、前記引出体のみが単独で外方に移動することを特徴とするキャビネット。
【請求項２】
前記収納位置において、前記踏み台と前記引出体との間に隙間が形成されるとともに、前記引出位置において、前記収納位置から引出された踏み台が引出体の上面に載置されることを特徴とする請求項１に記載のキャビネット。
【請求項３】
前記係止部は、前記踏み台の後端部から下方に向かって突設され、前記被係止部は、前記引出体の後端部に設けられていることを特徴とする請求項１または２に記載のキャビネット。
【請求項４】
前記踏み台は、下端が床面上に接地される脚部を備えることを特徴とする請求項１ないし３のいずれかに記載のキャビネット。
【請求項５】
前記引出体の外側面に、前記引出位置において前記キャビネットの本体所定箇所に係合して前記踏み台付き引出体の引き出し方向の移動を規制する係合位置と、該係合位置から退避した係合解除位置と、の間で移動自在に設けられ、前記係合位置から前記係合解除位置までの移動操作が可能な係合レバーを備えることを特徴とする請求項１ないし４のいずれかに記載のキャビネット。
【請求項６】
前記係合レバーは、前記引出体の側板の外面に沿って、前後幅方向にわたり延設されていることを特徴とする請求項５に記載のキャビネット。
【発明の詳細な説明】
【技術分野】
【０００１】
本発明は、上面が開口する箱状に形成された引出体と、この引出体の上面開口を開閉自在とする踏み台と、からなる踏み台付き引出体が、本体の内部に収納された収納位置とこの収納位置から前記本体の外方に向けて引き出された引出位置との間で内外方向に移動自在に設けられたキャビネットに関する。
【背景技術】
【０００２】
従来のキャビネットにおける踏み台付き引出体は、引出体の上面開口を開閉する踏み台が、引出体に連結された構造で、本体に対し内外方向に移動自在に設けられている（例えば、特許文献１参照）。
【０００３】
【特許文献１】特開平１１−１０３９５１号公報（第２頁、第１図）
【発明の開示】
【発明が解決しようとする課題】
【０００４】
しかしながら、特許文献１にあっては、踏み台の後端部が引出体の後端部にヒンジによって連結され、踏み台が引出体に対し回動可能になっており、踏み台付き引出体を引出位置まで引出した際には、引出体の上面開口が踏み台で被覆されて開放されていないため、引出体の内部に物品を収納するために踏み台を開閉操作する手間があった。
【０００５】
本発明は、このような問題点に着目してなされたもので、引出体の上方に位置する踏み台の開閉動作を要することなく、収納物の出し入れが簡便に出来る踏み台付き引出体が設けられたキャビネットを提供することを目的とする。
【課題を解決するための手段】
【０００６】
上記課題を解決するために、本発明の請求項１に記載のキャビネットは、
上面が開口する箱状に形成された引出体と、該引出体の上面開口を開閉自在とする踏み台と、からなる踏み台付き引出体が、本体の内部に収納された収納位置と該収納位置から前記本体の外方に向けて引き出された引出位置との間で内外方向に移動自在に設けられたキャビネットであって、
前記踏み台に設けられた係止部と、
前記引出体における前記係止部よりも外方側に設けられた被係止部と、
を備え、
前記踏み台を外方に向けて引出すことにより、前記引出体の被係止部に前記踏み台の係止部が係止され、前記引出体と前記踏み台とが一体に外方に移動し、
前記引出体を外方に向けて引出すことにより、前記引出体の被係止部が前記踏み台の係止部から離間し、前記引出体のみが単独で外方に移動することを特徴としている。
この特徴によれば、踏み台を外方に引出すだけで、常に踏み台と引出体とが一体に引出されることで、引出位置において踏み台にかかる荷重が下方の引出体により支持されるため、引出位置における踏み台の安定性が向上する。また、引出体を外方に引出すときには該引出体のみが単独で移動し、これにより引出位置において引出体の上面開口が開放されるため、踏み台の開閉動作を要することなく収納物の出し入れが出来る。
【０００７】
本発明の請求項２に記載のキャビネットは、請求項１に記載のキャビネットであって、
前記収納位置において、前記踏み台と前記引出体との間に隙間が形成されるとともに、前記引出位置において、前記収納位置から引出された踏み台が引出体の上面に載置されることを特徴としている。
この特徴によれば、引出体の引出とともに踏み台が引出されることを防止できるとともに、踏み台と引出体との摺接により傷がつくことを回避できる。
【０００８】
本発明の請求項３に記載のキャビネットは、請求項１または２に記載のキャビネットであって、
前記係止部は、前記踏み台の後端部から下方に向かって突設され、前記被係止部は、前記引出体の後端部に設けられていることを特徴としている。
この特徴によれば、踏み台の後部側から下方に向かって延設する簡便な構成で、係止部を設けることが出来るばかりか、係止部が踏み台の後端部に位置しているとともに、被係止部が引出体の後端部に位置しているので、踏み台若しくは引出体を引出しても、係止部や被係止部が邪魔になることがない。
【０００９】
本発明の請求項４に記載のキャビネットは、請求項１ないし３のいずれかに記載のキャビネットであって、
前記踏み台は、下端が床面上に接地される脚部を備えることを特徴としている。
この特徴によれば、踏み台に掛かる荷重を、引出体に加えて補助的に支持することが出来る。
【００１０】
本発明の請求項５に記載のキャビネットは、請求項１ないし４のいずれかに記載のキャビネットであって、
前記引出体の外側面に、前記引出位置において前記キャビネットの本体所定箇所に係合して前記踏み台付き引出体の引き出し方向の移動を規制する係合位置と、該係合位置から退避した係合解除位置と、の間で移動自在に設けられ、前記係合位置から前記係合解除位置までの移動操作が可能な係合レバーを備えることを特徴としている。
この特徴によれば、引出体の側板外面に設けられた係合レバーを係合位置に移動することで、踏み台付き引出体の引き出し方向の移動が規制され、踏み台を安全に使用できるばかりか、係合レバーを移動操作するだけで容易に係合位置若しくは係合解除位置に切替できる。
【００１１】
本発明の請求項６に記載のキャビネットは、請求項５に記載のキャビネットであって、
前記係合レバーは、前記引出体の側板の外面に沿って、前後幅方向にわたり延設されていることを特徴としている。
この特徴によれば、係合レバーの移動操作を踏み台の前方側から簡便に行うことができる。
【発明を実施するための最良の形態】
【００１２】
本発明の実施例を以下に説明する。
【実施例１】
【００１３】
本発明の実施例１を図面に基づいて説明すると、先ず図１は、実施例１におけるキッチン台の全体像を示す斜視図である。図２（ａ）は、キッチン台の上面図であり、（ｂ）は、キッチン台の背面図であり、（ｃ）は、右側面図である。図３（ａ）は、はキッチン台の本体に収納された踏み台付き引出体を示す右側面図であり、（ｂ）は、キッチン台の本体から引出された踏み台付き引出体を示す背面図である。図４（ａ）は、踏み台を引出したときの踏み台付き引出体を示す拡大側面図であり、（ｂ）は、（ａ）と同じく引出位置における踏み台付き引出体を示す拡大側面図であり、（ｃ）は、引出体を引出したときの踏み台付き引出体を示す拡大側面図である。図５（ａ）は、係合レバーの係合状況を示す拡大斜視図であり、（ｂ）は、係合レバーを示す拡大断面図である。
【００１４】
図１及び図２に示されるように、本実施例におけるキャビネットとしてのキッチン台１は、いわゆるアイランド型のキッチン台であって、各種の収納部を備えた本体２と、本体２の上面に載置された天板３とから主として構成されている。図１紙面左上側、図２（ａ）紙面上側が、キッチン台１の正面である。以下、キッチン台１の右側とはキッチン台１の正面側に立って右側のことであり、キッチン台１の左側とはキッチン台１の正面側に立って左側のことであり、キッチン台１の背面側とはキッチン台１を挟んで正面側と対向する側のことであるものとする。
【００１５】
キッチン台１の天板３には、左側の側面との角部に調理部としてのコンロ４が設けられているとともに、右側の側面との角部にシンク５が設けられている。コンロ４の背面側には、水分等の飛散防止用のパネル６が天板３から立設されている。また、正面側に立って中央側は調理部として調理台７が設けられ、この調理台７に連続して、背面側も調理部としての調理台８が設けられている。更に、キッチン台１の全周に沿って、側面には収納部としての開き戸９若しくは図示しない引出しが適宜設けられ、右側の側面には備え付けの食器洗浄機１０が設けられている。
【００１６】
キッチン台１は、基本的には、主調理者が正面側に立って調理を行うように出来ているが、調理者がキッチン台１の全周に沿って行動出来るように成っており、すなわちキッチン台１の正面側のみでなく、左右両側面若しくは背面側を利用しての調理が可能となる。このような形態のキッチン台１においては、調理者が複数である場合でもキッチン台１の全周を利用した調理が可能である。
【００１７】
次に、キッチン台１には、キッチン台１が載置された床面上に踏み台付き引出体１１、２１が設けられている。踏み台付き引出体１１を出し入れするための出入口１９が、キッチン台１の正面とは異なる右側の側面に、すなわちキッチン台１の正面に設けられた上キャビネット（図示略）に対し略９０度向きを変えた右側の側面における下部において設けられている。そして、この出入口１９に踏み台付き引出体１１が嵌挿され、本体２の内部に収納された収納位置と、この収納位置から外方、すなわち右側外方に向けて十分に引き出された引出位置との間で移動自在に設けられている。同様に、踏み台付き引出体２１を出し入れするための出入口２９が、キッチン台１の背面側における下部に設けられており、この出入口２９に踏み台付き引出体２１が嵌挿され、上記と同様の収納位置と引出位置との間で移動自在に設けられている。
【００１８】
このように出入口１９、２９が、例えば主調理者が対峙するキッチン台１の本体２の正面とは異なる方向を向く側面及び／または背面に設けられていることで、主調理者の行動を妨げることなく、子供等の副調理者が踏み台を利用して主調理者とともに調理作業を行うことができる。
【００１９】
また、図１に示されるように、キッチン台１の天板３における本体２の正面と側面との角部には、シンク５及びコンロ４が設けられており、出入口１９が、本体２の側面におけるシンク５及びコンロ４との対向位置下方に配設されていることで、主調理者はシンク５またはコンロ４を本体２の正面側から利用しているときでも、子供等の副調理者は踏み台付き引出体１１を利用して、同じシンク５またはコンロ４を本体２の側面側、つまり主調理者とは別の方向から利用することができるため、主調理者の行動を妨げることがない。
【００２０】
同様に、出入口２９が、本体２の背面におけるコンロ４との対向位置下方に配設されていることで、主調理者はシンク５またはコンロ４を本体２の正面側から利用しているときでも、子供等の副調理者は踏み台付き引出体２１を利用して、同じシンク５またはコンロ４を本体２の背面側、つまり主調理者とは別の方向から利用することができるため、主調理者の行動を妨げることがない。
【００２１】
踏み台付き引出体１１は、調理者などが上面に載上可能な踏み台１２と、この踏み台１２の下方において物品を収納可能な収納部１３ａを有する箱状の引出体１３と、から構成されている。同様に、踏み台付き引出体２１は、調理者などが上面に載上可能な踏み台２２と、この踏み台２２の下方において物品を収納可能な収納部を有する箱状の引出体２３と、から構成されている。
【００２２】
以下、踏み台付き引出体１１、２１は同様の構造を有しているため、踏み台付き引出体１１の構造について説明し、踏み台付き引出体２１の構造については説明を省略する。
【００２３】
図３（ａ）、（ｂ）に示されるように、踏み台付き引出体１１の引出体１３は上方に開口した箱状に形成され、この開口を開閉可能に、踏み台１２が引出体１３の上方に位置している。このように、踏み台付き引出体１１が、上面に載上可能な踏み台１２と、物品を収納可能な収納部１３ａを有する引出体１３と、から構成されていることで、踏み台１２の下方の空間も収納部１３ａとして有効利用できる。
【００２４】
また、踏み台１２における後端部から係止部１２ａが下方に向かって鉤状に延設されているとともに、引出体１３における係止部１２ａよりも外方側、すなわち前方側に位置する後端面に、被係止部１３ｃが設けられており、詳細については後述するが、この係止部１２ａと被係止部１３ｃとが係止することで、踏み台１２と引出体１３とは、収納位置と引出位置との間を一体に移動可能になっている。
【００２５】
踏み台付き引出体１１の左右両側方に位置する本体２の側板２ａ、２ａ内面には、前後方向に延びる溝部２７、２７が形成されており、この溝部２７は、収納位置から引出位置に向かって、すなわち後方から前方に向かって略水平方向に形成された水平部２７ａと、更に前端に向かって若干下方に傾斜して形成された傾斜部２７ｂとから成っている。この溝部２７、２７内に、踏み台１２の左右両側面の後部側に枢支されたキャスタ１２ｄ、１２ｄが、回転可能に所定数嵌合されていることにより、踏み台１２は、溝部２７、２７に沿って前後方向にスムーズに移動可能である。
【００２６】
踏み台１２下面における左右両側端部の所定箇所には、凸部１２ｃが下方に向けて突設されているとともに、引出体１３の側板１３ｂ上面の所定箇所には、上方に向けて開口した凹部１３ｅが、凸部１２ｃに嵌合可能に設けられている。
【００２７】
次に、図３（ａ）、（ｂ）に示されるように、踏み台付き引出体１１の移動について概略を説明すると、先ず、本体２の出入口１９と連通する内部における踏み台付き引出体１１の収納空間を構成する左右の側板２ａ、２ａの内面には、側面視コ字状に形成された固定レール１４が、前後方向に沿ってそれぞれ固着されている。そして引出体１３を構成する左右の側板１３ｂ外面に、摺動レール１５が前後方向に沿ってそれぞれ固着され、この摺動レール１５は、固定レール１４のコ字状の開口に前後方向にそれぞれ嵌挿されている。また、引出体１３の底板下面には、左右方向及び前後方向に所定に離間した４箇所に、床面上を転がるキャスタ２６が設けられている。そして、踏み台付き引出体１１を収納位置に押込み若しくは引出すことで、踏み台付き引出体１１の摺動レール１５が固定レール１４に沿って摺動し、踏み台付き引出体１１が本体２に対しスムーズに移動自在となる。
【００２８】
次に、図４（ａ）に示されるように、踏み台１２を引出した場合の踏み台付き引出体１１の移動について、詳しく説明すると、キッチン台１の使用者が、踏み台１２の前面に設けられた把手部１２ｂを外方に向けて引出すことにより、引出体１３の被係止部１３ｃが踏み台１２の係止部１２ａに係止され、引出体１３と踏み台１２とが一体に外方に移動することになる。
【００２９】
踏み台付き引出体１１を引出す場合に、踏み台１２の左右側面に枢支されたキャスタ１２ｄが溝部２７の水平部２７ａに位置しているときには、この溝部２７によって、踏み台１２の下面及び凸部１２ｃと、引出体１３の上面とはわずかに離間した状態である。このようにすることで、引出体１３を前後に引出自在となっている。そして、図４（ｂ）に示されるように、踏み台付き引出体１１を引出位置まで引出すとともに、踏み台１２が溝部２７の傾斜部２７ｂに沿って下方に移動して、踏み台１２が溝部２７から完全に外れ、踏み台１２下面の凸部１２ｃが、引出体１３上面の凹部１３ｅに嵌合されることで、踏み台付き引出体１１の引出位置において、踏み台１２が、引出体１３上面に所定に載置されることになる。
【００３０】
次に、図４（ｃ）に示されるように、引出体１３を引出した場合の踏み台付き引出体１１の移動について、詳しく説明すると、キッチン台１の使用者が、引出体１３の把手部１３ｄを外方に向けて引出すことにより、引出体１３の被係止部１３ｃが踏み台１２の係止部１２ａから離間し、引出体１３のみが単独で外方に移動することになる。
【００３１】
このようにすることで、踏み台１２を外方に引出すだけで、常に踏み台１２と引出体１３とが一体に引出されることで、引出位置において踏み台１２の使用の際に踏み台１２に掛かる荷重が、踏み台１２の下方に位置する箱状の引出体１３により支持されるため、引出位置における踏み台１２の安定性が向上する。すなわち、踏み台１２が溝部２７から外れ、床面上を移動自在な引出体１３に載置されるため、踏み台１２にかかる荷重により溝部２７を破損することなく引出体１３を介して床面で支持できる。また、引出体１３を外方に引出すときには、引出体１３のみが単独で移動し、これにより引出体１３の上面開口が開放されるため、引出体１３の上方に位置する踏み台１２の開閉動作を要することなく、収納物の出し入れが簡便に出来る。
【００３２】
また、このように、収納位置において、踏み台１２と引出体１３との間に隙間が形成されるとともに、引出位置において、収納位置から引出された踏み台１２が引出体１３の上面に載置されることで、引出体１３の引出とともに踏み台１２が引出されることを防止できるとともに、踏み台１２と引出体１３との摺接により傷がつくことを回避できる。
【００３３】
更に、踏み台１２の後部側から下方に向かって延設する簡便な構成で、係止部１２ａを設けることが出来るばかりか、係止部１２ａが踏み台１２の後端部に位置しているとともに、被係止部１３ｃが引出体１３の後端部に位置しているので、踏み台１２若しくは引出体１３を引出しても、係止部１２ａや被係止部１３ｃが邪魔になることがない。
【００３４】
次に、踏み台付き引出体１１の引出位置におけるロック機構について説明する。
【００３５】
先ず、引出体１３の左右両側板１３ｂ、１３ｂ外面に沿って、摺動レール１５よりも上方箇所に、係合レバー１６、１６がそれぞれ前後方向に設けられている。尚、左右両側板１３ｂ、１３ｂ外面にそれぞれ設けられている係合レバー１６、１６及び附属するその他の部材は、同じ構造を有しているため、以下、一方側の係合レバー１６に関する構造について説明し、他方側の係合レバー１６の説明は省略する。
【００３６】
係合レバー１６は、より具体的には、両方の端部が中央部に対して略直角に屈曲して形成されており、更に、両方の先端が引出体１３の側板１３ｂに取付けられた回動支持部１３ｆ、１３ｆにより枢支され、前後方向に形成された仮想の回動軸周りに回動可能に設けられている。すなわち、係合レバー１６は、中央部が引出体１３の側板１３ｂ外面に沿って位置する係合解除位置と、中央部が左右外方に向かって突出する係合位置との間を回動するように成っている。
【００３７】
次に、図４（ａ）に示されるように、踏み台付き引出体１１の係合について説明すると、踏み台付き引出体１１が、キッチン台１の本体２に収納された収納位置と、本体２から十分に引出された引出位置との間に位置している場合、踏み台付き引出体１１は、係合レバー１６が上方に回動された係合解除位置に位置することで、キッチン台１の本体２の側板２ａに当接することなく、前後方向に移動自在と成っている（図５（ｂ）点線部参照）。
【００３８】
次に、図５（ａ）、（ｂ）に示されるように、踏み台付き引出体１１が、引出位置に位置した場合、係合レバー１６を下方に回動操作することで、上記した係合解除位置から係合位置に移動する。この係合位置においては、係合レバー１６の中央部が、キッチン台１の本体２の側板２ａ前端と係合することで、踏み台付き引出体１１の後方への引き出し方向の移動が規制される。
【００３９】
このように、引出体１３の側板１３ｂ外面に設けられた係合レバー１６を係合位置に移動することで、踏み台付き引出体１１の引き出し方向の移動が規制され、踏み台１２を安全に使用できるばかりか、係合レバー１６を移動操作するだけで容易に係合位置若しくは係合解除位置に切替できる。
【００４０】
また、このように、踏み台付き引出体１１の左右側方に位置するキッチン台１の本体２の側板２ａを利用して、係合レバー１６を係合位置において係合させることができるため、キッチン台１の本体２側に被係合部等を別個に設けなくて済む。
【００４１】
尚、固定レール１４の前端部所定箇所に図示しない係止部が突設されているとともに、摺動レール１５の後端部所定箇所に図示しない突出部が設けられており、上記した踏み台の引出位置において、固定レール１４の前記係止部と摺動レール１５の前記突出部とが当接することで、踏み台付き引出体１１が本体２から抜け出すことを防止している。
【００４２】
次いで、踏み台付き引出体１１の係合解除について説明すると、上述した係合位置にある左右の係合レバー１６を、上方に向けて回動して上方移動操作することで、左右の係合レバー１６を上記した係合解除位置に位置させる。このようにすることで、踏み台付き引出体１１は、引き出し方向に本体２に対して前後移動自在となる。
【００４３】
このように、係合レバー１６は、引出体１３の左右側板１３ｂの外面に沿ってそれぞれ前後幅方向にわたり延設されていることで、係合レバー１６の上方移動操作を引出体１３の前方側で簡便に行うことができる。
【００４４】
尚、本実施例の係合レバー１６は、図示しない保持手段により上記した係合解除位置に保持されるように成っているが、前記保持手段は、例えばマグネットからなり磁力を利用するものであってもよい。更に尚、前記保持手段による係合レバーの保持状態を解除する保持状態解除手段が、別段に設けられていてもよい。
【実施例２】
【００４５】
次に、本発明の実施例２を図面に基づいて説明すると、図６（ａ）は、実施例２における踏み台付き引出体を示した正面図であり、（ｂ）は、踏み台を引出したときの引出位置における踏み台付き引出体を示す拡大側面図であり、（ｃ）は、引出体を引出したときの踏み台付き引出体を示す拡大側面図である。尚、上述した実施例１と重複する構成については説明を省略する。
【００４６】
図６（ａ）に示されるように、本実施例における踏み台付き引出体３１の踏み台３２は、左右両端側に、それぞれ下方に向かって延びる脚部３２ｅ、３２ｅを備えており、引出体３３を跨ぐように正面視略コ字状に形成されている。また、脚部３２ｅの下端には、滑り止め用ゴム３５が下方に突設され、床面上に接地されるように成っている。
【００４７】
次に、図６（ｂ）に示されるように、踏み台３２を引出した場合の踏み台付き引出体３１の移動について、詳しく説明すると、キッチン台１の使用者が、踏み台３２の前面に設けられた把手部３２ｂを外方に向けて引出すことにより、引出体３３の被係止部３３ｃが踏み台３２の係止部３２ａに係止され、引出体３３と踏み台３２とが一体に外方に移動することになる。
【００４８】
踏み台付き引出体３１を引出位置まで引出すとともに、踏み台３２の左右側面に枢支されたキャスタ３２ｄが、溝部２７の水平部２７ａから傾斜部２７ｂに沿って下方に移動し、踏み台付き引出体１１の引出位置において、踏み台１２が、引出体１３上面に所定に載置され、且つ、脚部３２ｅの下端に突設された滑り止め用ゴム３５が床面に当接することになる。
【００４９】
このようにすることで、踏み台３２の左右両端側から下方に延びる脚部３２ｅ、３２ｅにより、踏み台３２に掛かる荷重を、引出体３３に加えて補助的に支持することが出来る。尚、引出体３３を用いずに、踏み台３２に掛かる荷重を踏み台３２の脚部３２ｅ、３２ｅのみにより支持するようにしてもよい。
【００５０】
次に、図６（ｃ）に示されるように、引出体３３を引出した場合の踏み台付き引出体３１の移動について、詳しく説明すると、キッチン台１の使用者が、引出体３３の把手部３３ｄを外方に向けて引出すことにより、引出体３３の被係止部３３ｃが踏み台３２の係止部３２ａから離間し、引出体３３のみが単独で外方に移動することになる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、上記実施例では、キッチン台１は、アイランド型のキッチン台であって、天板にシンク５や調理部としてコンロ４が設けられているが、キッチン台の型や、シンクまたは調理部の配置については、必ずしも本実施例に限られず、例えばＩ型やＬ型のキッチン台であってもよいし、また、天板にシンクまたは調理部のみが設けられたキッチン台であっても構わない。
【００５３】
また、上記実施例では、係合レバー１６は、引出体１３の側板１３ｂに沿って形成された前後方向の仮想の回動軸回りに回動可能に設けられているが、例えば係合レバーは、引出体の前方部において枢支された回動部を中心に、左右方向の仮想の回動軸回りに回動可能であってもよい。
【００５４】
更に、上記実施例では、係合レバー１６は、キッチン台１の本体２の側板２ａ前端部と係合しているが、係合位置は、例えば固定レールの前端部であってもよいし、キャビネット本体の天板、仕切板、底板などの木口や、キャビネット本体に別段に設けられた係合用部品であってもよい。
【００５５】
また、上記実施例では、係合レバー１６は、回動支持部１３ｆに枢支されており、係合位置と係合解除位置との間を回動自在に設けられているが、例えば、係合レバーは、上下方向にスライド移動することで、係合位置と係合解除位置との間を移動自在に設けられていてもよい。また、上記実施例では、係合レバー１６は、引出体１３の左右側板１３ｂに一対に設けられているが、例えば、係合レバーは引出体の左右いずれか一方の側板のみに設けられていてもよい。
【００５６】
更に、上記実施例では、キャビネットとしてキッチン台１が示されているが、キャビネットは、必ずしもキッチン台に限られず、例えば、棚板を備えた陳列棚であっても構わない。
【００５７】
また、上記実施例では、係止部が踏み台の後端部に設けられているとともに、被係止部が引出体の後端部に設けられているが、例えば、係止部が、踏み台下面の前方部所定箇所から下方に延びているとともに、該係止部よりも外方側、すなわち前方側に位置する被係止部が、引出体の前板背面の上部所定箇所に形成されていてもよい。また例えば、係止部が、踏み台下面の側方部所定箇所から下方に延びているとともに、該係止部よりも外方側、すなわち前方側に位置する被係止部が、引出体の前板背面の側部所定箇所に形成されていてもよい。この場合において、前記係止部は、踏み台の左右両側方部及び後方部に亘って連続して設けられるとともに、前記被係止部は、引出体の前板背面の側部所定箇所及び引出体の後端部に設けられていてもよい。更に例えば、踏み台の後端部に設けられた係止部と、引出体の後端部に設けられた被係止部とが、いわゆるプッシュキャッチ式に係止されており、踏み台を引出すことで踏み台と引出体とが一体に引出され、引出体を一旦内方に向かって押し込むことで、係止部と被係止部との係止が外れて、引出体のみが単独で引出されるようにしてもよい。
【図面の簡単な説明】
【００５８】
【図１】実施例１におけるキッチン台の全体像を示す斜視図である。
【図２】（ａ）は、キッチン台の上面図であり、（ｂ）は、キッチン台の背面図であり、（ｃ）は、右側面図である。
【図３】（ａ）は、はキッチン台の本体に収納された踏み台付き引出体を示す右側面図であり、（ｂ）は、キッチン台の本体から引出された踏み台付き引出体を示す背面図である。
【図４】（ａ）は、踏み台を引出したときの踏み台付き引出体を示す拡大側面図であり、（ｂ）は、（ａ）と同じく引出位置における踏み台付き引出体を示す拡大側面図であり、（ｃ）は、引出体を引出したときの踏み台付き引出体を示す拡大側面図である。
【図５】（ａ）は、係合レバーの係合状況を示す拡大斜視図であり、（ｂ）は、係合レバーを示す拡大断面図である。
【図６】（ａ）は、実施例２における踏み台付き引出体を示した正面図であり、（ｂ）は、踏み台を引出したときの引出位置における踏み台付き引出体を示す拡大側面図であり、（ｃ）は、引出体を引出したときの踏み台付き引出体を示す拡大側面図である。
【符号の説明】
【００５９】
１                キッチン台（キャビネット）
２                本体
３                天板
４                コンロ
５                シンク
７                調理台
８                調理台
１１              踏み台付き引出体
１２              踏み台
１２ａ            係止部
１２ｂ            把手部
１２ｃ            凸部
１２ｄ            キャスタ
１３              引出体
１３ａ            収納部
１３ｂ            側板
１３ｃ            被係止部
１３ｄ            把手部
１３ｅ            凹部
１３ｆ            回動支持部
１４              固定レール
１５              摺動レール
１６              係合レバー
１９              出入口
２７              溝部
２７ａ            水平部
２７ｂ            傾斜部
３１              踏み台付き引出体
３２              踏み台
３２ｅ            脚部
３３              引出体
３５              滑り止め用ゴム
【図１】
2008237661.tif 000003
【図２】
2008237661.tif 000004
【図３】
2008237661.tif 000005
【図４】
2008237661.tif 000006
【図５】
2008237661.tif 000007
【図６】
2008237661.tif 000008